(57)【要約】【課題】ユニットの組付高さの調整作業に要する時間と労力を削減する手段を提供する。【解決手段】  ユニットを固定するユニットベースと、ユニットベースに設けたネジ穴に螺合させる調整ネジと、ユニットの組付高さを保持するためのシムとを備えた高さ調整構造において、ユニットベースのネジ穴に螺合させた調整ネジの軸力により形成した隙間にシムを挿入してユニットの組付高さを調整する。【選択図】        図３
2015219702.tif 000002
【特許請求の範囲】
【請求項１】
ユニットを固定するユニットベースと、
前記ユニットベースに設けたネジ穴に螺合させる調整ネジと、
前記ユニットの組付高さを保持するためのシムと、を備えた高さ調整構造において、
前記ユニットベースのネジ穴に螺合させた前記調整ネジの軸力より形成した隙間に前記シムを挿入して前記ユニットの組付高さを調整することを特徴とする高さ調整構造。
【請求項２】
請求項１に記載の高さ調整構造において、
前記ユニットベースに、前記ユニットを固定する底部を設けると共に、前記底部に前記調整ネジを螺合させるネジ穴を設け、
前記底部のネジ穴に螺合させた前記調整ネジの軸力により前記底部と前記ユニットの底面との間に隙間を形成し、その隙間に前記シムを挿入して前記ユニットの組付高さを調整することを特徴とする高さ調整構造。
【請求項３】
請求項１に記載の高さ調整構造において、
前記ユニットベースに、前記ユニットを固定する底部と、前記底部の両端に立設する側部と、前記側部の上端部を外側に伸長させた鍔部とを設けると共に、前記鍔部に対向する押圧部を有するブラケット部材を設け、
前記鍔部に、前記調整ネジを螺合させるネジ穴を形成し、
前記鍔部のネジ穴に螺合させた前記調整ネジの軸力により前記鍔部と前記ブラケット部材の押圧部との間に隙間を形成し、その隙間に前記シムを挿入して前記ユニットの組付高さを調整することを特徴とする高さ調整構造。
【請求項４】
各種のユニットを有し、請求項２に記載の高さ調整構造を装備した自動取引装置において、
前記ユニットの前記底部の両端に立設する側部を設けると共に、前記側部と装置本体との間にスライド機構を設け、
前記スライド機構によって、前記ユニットベースを前記装置本体の外に引出して、前記ユニットの組付高さの調整を行うことを特徴とする自動取引装置。
【請求項５】
各種のユニットを有し、請求項３に記載の高さ調整構造を装備した自動取引装置において、
前記レールブラケットに、前記ユニットベースの側部に対向するレール取付部を設けると共に、前記レール取付部と装置本体との間にスライド機構を設け、
前記スライド機構によって、前記ユニットベースを前記装置本体の外に引出して、前記ユニットの組付高さの調整を行うことを特徴とする自動取引装置。
【発明の詳細な説明】
【技術分野】
【０００１】
本発明は、現金自動預払機等の自動取引装置に組込まれる各種ユニットの組付高さを調整する高さ調整構造およびそれを装備した自動取引装置に関する。
【背景技術】
【０００２】
従来の現金自動預払機は、カード取扱部、通帳取扱部、紙幣入出金部、硬貨入出金部等の各部をそれぞれユニット化して、装置本体内に組込んでいる（例えば、特許文献１参照。）。
このような現金自動預払機において、カード取扱部や紙幣入出金部等のユニットを装置本体に組込む場合は、装置本体の前面側に配置された顧客操作部に設けたカード挿入口とカード取扱ユニットのカード受入口との高さ合わせや、顧客操作部の紙幣入出金口のシャッタと紙幣入出金ユニットの紙幣受入口との高さ合わせを行う必要があり、通常、ユニットの高さ方向の位置調整は、人または重機によって組込対象のユニットを持上げ、ユニットの底面とユニットベースとの間に必要な厚さのシムを挟み込んで組付高さの調整を行っている。
【先行技術文献】
【特許文献】
【０００３】
【特許文献１】特開２００１−３４４６３７号公報（段落０００５、第１図）
【発明の概要】
【発明が解決しようとする課題】
【０００４】
しかしながら、上述した従来の組付高さの調整においては、人または重機によって組込対象のユニットを持上げる作業を要するため、シムをユニットの底面とユニットベースとの間に挿入する作業を考慮すると、２人以上の人員を要し、現金自動預払機の組立時における各種ユニットの組付高さの調整作業には、多大な時間と労力が必要になるという問題がある。
本発明は、上記の問題点を解決するためになされたもので、ユニットの組付高さの調整作業に要する時間と労力を削減する手段を提供することを目的とする。
【課題を解決するための手段】
【０００５】
本発明は、上記課題を解決するために、ユニットを固定するユニットベースと、前記ユニットベースに設けたネジ穴に螺合させる調整ネジと、前記ユニットの組付高さを保持するためのシムとを備えた高さ調整構造において、前記ユニットベースのネジ穴に螺合させた前記調整ネジの軸力により形成した隙間に前記シムを挿入して前記ユニットの組付高さを調整することを特徴とする。
【発明の効果】
【０００６】
これにより、本発明は、ユニットの組付高さの調整時に、人または重機によってユニットを持上げる必要がなくなるため、調整作業を１人で容易に行うことが可能になり、組付高さの調整作業に要する時間と労力を大幅に削減することができるという効果が得られる。
【図面の簡単な説明】
【０００７】
【図１】実施例１の現金自動預払機の外観を示す説明図
【図２】実施例１の現金自動預払機の各ユニットの配置を示す説明図
【図３】実施例１のカード取扱ユニットの高さ調整構造を示す説明図
【図４】実施例１のシムを示す説明図
【図５】実施例２のカード取扱ユニットの高さ調整構造を示す説明図
【図６】実施例２のカード取扱ユニットの高さ調整方法を示す説明図
【図７】実施例２のカード取扱ユニットの組付状態を示す説明図
【発明を実施するための形態】
【０００８】
以下に、図面を参照して本発明による高さ調整構造およびそれを装備した自動取引装置の実施例について説明する。
【実施例１】
【０００９】
以下に、図１ないし図４を用いて本実施例の現金自動預払機に装備する高さ調整構造について説明する。なお、図２は、後述する前面パネル３ａおよび開閉扉４を取外した状態を図示したものである。
図１、図２において、１は自動取引装置としての現金自動預払機であり、銀行等の金融機関の支店やコンビニエンスストア等の店舗に設置され、顧客が選択した取引の入力を受付け、これを基に図示しないホストコンピュータと交信して顧客との、現金としての紙幣に関する取引処理を自動で行う機能等を有しており、装置本体２の前面側に顧客が紙幣の入出金やそれに伴う取引入力等の操作を行う顧客操作部３が設けられ、その顧客操作部３の下部には開閉扉４が設けられている。
【００１０】
また、顧客操作部３の前面パネル３ａおよび開閉扉４は、装置本体２に設けられた図示しない回転支点を中心に開閉可能に取付けられている。
５は表示部であり、現金自動預払機１の顧客操作部３に設けられ、ＬＣＤ等の表示画面とタッチパネル等の入力手段との組合せで構成されており、表示画面に取引選択画面や各種の入力画面、顧客の処置を促す画面等を表示する機能を有する他、入力手段により顧客からの入力を受付ける機能等を有している。
【００１１】
６はカード取扱部であり、顧客のキャッシュカードやクレジットカード等の取引カードの磁気ストライプやＩＣチップ等に記録されている取引カードのカード情報を読み書きする機能を有すると共に明細票に取引内容等を印刷する機能等を有するカード取扱ユニット６ａ（以下、カードユニットという。）を備え、顧客操作部３に設けられたカード挿入口６ｂから挿入された取引カードを、カードユニット６ａのカード受入口６ｃ（図２参照）から受入れ、取引終了時に、取引カードや明細票等をカード受入口６ｃを介してカード挿入口６ｂから排出する機能等を有している。
【００１２】
７は紙幣入出金部であり、入金取引時等に顧客が投入した紙幣を受入れ、これを鑑別および計数して収納庫に収納し、出金取引時等に収納庫から顧客に支払う紙幣を繰出し、これを計数して紙幣入出金口から排出して顧客に引渡す機能等を有する紙幣入出金ユニット７ａ（以下、紙幣ユニットという。）を備え、入金取引時等に顧客操作部３に設けられた紙幣シャッタ７ｂを解放して紙幣ユニット７ａの紙幣入出金口７ｃ（図２参照）によって顧客が投入した紙幣を受入れ、出金取引時等に紙幣入出金口７ｃに集積した紙幣を紙幣シャッタ７ｂを解放して顧客に引渡す機能等を有している。
８はキー操作部であり、顧客操作部３の前面パネル３ａや開閉扉４の解放等を行うときに、金融機関の行員やコンビニエンスストアの店員等の係員が所持するキーによるキー操作を受付ける。
【００１３】
図３において、１１はユニットベースであり、鋼板等の板材をコの字状に曲折して底部１１ａの両端に側部１１ｂ、１１ｃを立設した支持部材であって、組付高さの調整対象となるユニット（本説明では、カードユニット６ａ）が底板部１１ａ上にユニット固定ネジ１２（図２、図４参照）により固定される
また、ユニットベース１１の底部１１ａには、ユニット固定ネジ１２を挿通させる穴、および組付高さ調整用の調整ネジ１３を螺合させるネジ穴が設けられている。
このため、本実施例のカードユニット６ａの底板には、ユニット固定ネジ１２を螺合させるネジ穴が設けられ、調整ネジ１３が押圧する部位は平面に形成され、かつ補強部材等で補強されている。
【００１４】
１５はスライド機構であり、スライドレール１５ａ、１５ｂを摺動部材を介して組合せて形成された直動機構であって、一方のスライドレール１５ａは、ユニットベース１１の側部１１ｂ、１１ｃのそれぞれの外側面に取付けられ、それに対向する装置本体２の部位には他方のスライドレール１５ｂが取付けられ、ユニットベース１１の両側の側部１１ｂ、１１ｃと装置本体２との間に配置される。
【００１５】
図４において、１７はシムであり、調整された組付高さを保持するために、鋼板等で規定の厚さに形成された板材であって、これを１枚または複数重ね合せて高さ調整に必要な厚さを形成するために、複数の厚さが準備されている。
また、シム１７には、挿入時に、ユニット固定ネジ１２および調整ネジ１３と当接しないように、ユニット固定ネジ１２および調整ネジ１３の挿通箇所に切欠き部１７ａが設けられている。
【００１６】
本実施例の高さ調整構造は、ユニットベース１１、ユニットの組付高さ調整用の調整ネジ１３、シム１７等で構成される。
本実施例の高さ調整構造を装備した現金自動預払機１において、その組立時にカードユニット６ａの組付高さの調整を行う場合は、顧客操作部３の前面パネル３ａおよび開閉扉４を解放し、スライド機構１５によってユニットベース１１を装置本体２の外側に引出し、その底部１１ａ上にカードユニット６ａを載置する。
この場合に、底部１１ａに設けた穴の下側から挿通させたユニット固定ネジ１２をカードユニット６ａの底板のネジ穴に螺合させて未締結の状態で仮止めすれば、底部１１ａに設けた穴に挿通させたユニット固定ネジ１２のネジ部を、組付高さ調整時におけるガイド部材として機能させることができる。
【００１７】
そして、ユニットベース１１の底部１１ａに設けたネジ穴に調整ネジ１３を螺合させ、この調整ネジ１３を締付け方向に回転させて、そのネジ部の先端でカードユニット６ａの底板の平面部を押圧し、調整ネジ１３の締付けに伴うネジ部の軸方向の力（軸力という。）によってカードユニット６ａを所定の高さまで持上げ、これにより生じたカードユニット６ａの底面と、ユニットベース１１の底部１１ａの上面との間の隙間１８（図３参照）に、当該隙間１８に相当する厚さに形成したシム１７を挿入し、調整ネジ１３を取外すことにより、カードユニット６ａの組付高さの調整が完了する。
【００１８】
その後に、ユニット固定ネジ１２で、カードユニット６ａをシム１７を挟んでユニットベース１１に固定し、スライド機構１５によってユニットベース１１を装置本体２内に押し戻して所定の位置で固定し、顧客操作部３の前面パネル３ａおよび開閉扉４を閉じてキー操作部８によって施錠することにより、カードユニット６ａの装置本体２内への組込が完了する。
この場合に、取外した調整ネジ１３および高さ調整に用いなかったシム１７は、装置本体２の内部の他の場所に保管される。
紙幣ユニット７ａ等を組込む場合における組付高さの調整も、上記と同様である。
【００１９】
なお、上記においては、現金自動預払機１の組立時におけるユニットの組付高さの調整について説明したが、組立後の保守時等におけるユニットの組付高さの調整も、本実施例の高さ調整構造を用いて同様に行うことができる。
この場合は、顧客操作部３の前面パネル３ａおよび開閉扉４を解放し、スライド機構１５によってユニットが固定されたユニットベース１１を装置本体２の外側に引出し、ユニット固定ネジ１２を緩め、調整ネジ１３によってユニットの底板を押圧した後にシム１７を抜取り、上記と同様にして、調整ネジ１３の軸力によりユニットを所定の高さまで昇降させる。その後の作動は上記と同様であるので、その説明を省略する。
【００２０】
以上説明したように、本実施例では、ユニットベースの底部に設けたネジ穴に螺合させた調整ネジの軸力によって、ユニットの組付高さの調整を行うようにしたので、ユニットの組付高さの調整時に、人または重機によってユニットを持上げる必要がなくなるため、調整作業を１人で容易に行うことが可能になり、組付高さの調整作業に要する時間と労力を大幅に削減することができる。
【実施例２】
【００２１】
以下に、図５ないし図７を用いて本実施例の高さ調整構造について説明する。なお上記実施例１と同様の部分は、同一の符号を付してその説明を省略する。
本実施例のユニットベース１１には、図５に示すように、その側部１１ｂ、１１ｃのそれぞれの上端部を外側（底部１１ａに固定されるカードユニット６ａの反対側）に伸長させた鍔部２１が設けられており、それぞれの鍔部２１には、組付高さ調整用の調整ネジ１３を螺合させるネジ穴、およびブラケット固定ネジ２２を挿通させる穴２２ａが設けられている（図６、図７参照）。
【００２２】
また、ユニットベース１１の側部１１ｂ、１１ｃには、図６に示すように、ブラケット固定ネジ２２を螺合させるネジ穴２２ｂが設けられている。
なお、本実施例のユニットベース１１の底部１１ａには、ユニット固定ネジ１２を挿通させる穴のみが設けられ、カードユニット６ａの底板には、そのユニット固定ネジ１２を螺合させるネジ穴が設けられ、上記実施例１で説明した調整ネジ１３が押圧する部位の補強部材等による補強は省略されている。
【００２３】
図５において、２４はレールブラケットであり、鋼板等の板材をＬ字状に曲折して、鍔部２１に対向する平面からなる押圧部２４ａと、ユニットベース１１の側部１１ｂ、１１ｃに対向するレール取付部２４ｂとが形成されたブラケット部材であって、その押圧部２４ａには、図６に示すように、ブラケット固定ネジ２２を螺合させるネジ穴２２ｂが設けられ、そのレール取付部２４ｂには、ブラケット固定ネジ２２を挿通させる長穴２５が設けられている。
また、レールブラケット２４のレール取付部２４ｂには、その装置本体２側の面にスライドレール１５ａが取付けられており、本実施例のスライド機構１５は、レール取付部２４ｂと装置本体２との間に配置される。
【００２４】
なお、本実施例のシム１７は、レールブラケット２４の押圧部２４ａと、ユニットベース１１の鍔部２１との間に挿入され、上記実施例１と同様に、挿入時に、ブラケット固定ネジ２２および調整ネジ１３と当接しないように、ブラケット固定ネジ２２および調整ネジ１３の挿通箇所に切欠き部１７ａが設けられている。
このように、本実施例の高さ調整構造は、鍔部２１を設けたユニットベース１１、レールブラケット２４、ユニットの組付高さ調整用の調整ネジ１３、シム１７等で構成され、そのユニットベース１１は、レールブラケット２４とスライド機構１５を介して装置本体２に取付けられる。
【００２５】
本実施例の高さ調整構造を装備した現金自動預払機１において、その組立時にカードユニット６ａの組付高さの調整を行う場合は、顧客操作部３の前面パネル３ａおよび開閉扉４を解放し、スライド機構１５によってレールブラケット２４を取付けたユニットベース１１を装置本体２の外側に引出し、その底部１１ａ上にカードユニット６ａを載置し、底部１１ａに設けた穴の下側から挿通させたユニット固定ネジ１２を、カードユニット６ａの底板のネジ穴に螺合させて締結し、カードユニット６ａをユニットベース１１に固定する。
【００２６】
そして、ユニットベース１１の鍔部２１に設けたネジ穴に調整ネジ１３を螺合させ、この調整ネジ１３を締付け方向に回転させて、そのネジ部の先端でレールブラケット２４の平面からなる押圧部２４ａを押圧し、調整ネジ１３の締付けに伴う軸力によってカードユニット６ａを所定の高さまで持上げ、これにより生じたレールブラケット２４の押圧部２４ａの上面と、ユニットベース１１の鍔部２１の下面との間の隙間１８（図６参照）に、当該隙間１８に相当する厚さに形成したシム１７を挿入し（図７参照）、調整ネジ１３を取外すことにより、カードユニット６ａの組付高さの調整が完了する。
【００２７】
このカードユニット６ａの持上げ時に、ユニットベース１１の鍔部２１に設けた穴２２ａの上側から挿通させたブラケット固定ネジ２２をレールブラケット２４の押圧部２４ａに設けたネジ穴２２ｂに螺合させ、および／もしくはレールブラケット２４のレール取付部２４ｂに設けた長穴２５に側方から挿通させたブラケット固定ネジ２２をユニットベース１１の側部１１ｂ、１１ｃに設けたネジ穴２２ｂに螺合させて未締結の状態で仮止めすれば、鍔部２１に設けた穴２２ａおよび／もしくはレール取付部２４ｂに設けた長穴２５に挿通させたユニット固定ネジ１２のネジ部を、組付高さ調整時におけるガイド部材として機能させることができる。
【００２８】
その後に、ブラケット固定ネジ２２で、ユニットベース１１の鍔部２１をシム１７を挟んでレールブラケット２４の押圧部２４ａに固定すると共に、ユニットベース１１の側部１１ｂ、１１ｃをレールブラケット２４のレール取付部２４ｂに固定し、スライド機構１５によってユニットベース１１を装置本体２内に押し戻して所定の位置で固定し、顧客操作部３の前面パネル３ａおよび開閉扉４を閉じてキー操作部８によって施錠することにより、カードユニット６ａの装置本体２内への組込が完了する。
この場合に、取外した調整ネジ１３は、上記実施例１と同様に、装置本体２の内部の他の場所に保管される。
【００２９】
また、高さ調整に用いなかったシム１７は、ブラケット固定ネジ２２の締結時にユニットベース１１の鍔部２１の上面に載置して、鍔部２１の上面とブラケット固定ネジ２２との間に共締めして保管する。このようにすれば、本実施例のシム１７の保管場所の確保が容易になる。
紙幣ユニット７ａ等を組込む場合における組付高さの調整も、上記と同様である。
なお、上記においては、現金自動預払機１の組立時におけるユニットの組付高さの調整について説明したが、組立後の保守時等におけるユニットの組付高さの調整も、本実施例の高さ調整構造を用いて同様に行うことができる。
【００３０】
この場合は、顧客操作部３の前面パネル３ａおよび開閉扉４を解放し、スライド機構１５によってユニットが固定されたユニットベース１１およびレールブラケット２４を装置本体２の外側に引出し、ブラケット固定ネジ２２を緩め、調整ネジ１３によってレールブラケット２４の押圧部２４ａを押圧した後にシム１７を抜取り、上記と同様にして、調整ネジ１３の軸力によりユニットを所定の高さまで昇降させる。その後の作動は上記と同様であるので、その説明を省略する。
以上説明したように、本実施例では、上記実施例１と同様の効果に加えて、組付位置調整用の調整ネジを上方から締付けることが可能になり、ユニットベースの底部の下面が床面に近接している場合であっても、組付高さの調整作業を容易に行うことができる。
【符号の説明】
【００３１】
１    現金自動預払機
２    装置本体
３    顧客操作部
３ａ  前面パネル
４    開閉扉
５    表示部
６    カード取扱部
６ａ  カード取扱ユニット（カードユニット）
６ｂ  カード挿入口
６ｃ  カード受入口
７    紙幣入出金部
７ａ  紙幣入出金ユニット（紙幣ユニット）
７ｂ  紙幣シャッタ
７ｃ  紙幣入出金口
８    キー操作部
１１  ユニットベース
１１ａ  底部
１１ｂ、１１ｃ  側部
１２  ユニット固定ネジ
１３  調整ネジ
１５  スライド機構
１５ａ、１５ｂ  スライドレール
１７  シム
１８  隙間
２１  鍔部
２２  ブラケット固定ネジ
２２ａ  穴
２２ｂ  ネジ穴
２４  レールブラケット
２４ａ  押圧部
２４ｂ  レール取付部
２５  長穴
【図１】
2015219702.tif 000003
【図２】
2015219702.tif 000004
【図３】
2015219702.tif 000005
【図４】
2015219702.tif 000006
【図５】
2015219702.tif 000007
【図６】
2015219702.tif 000008
【図７】
2015219702.tif 000009